(57)【要約】【課題】  シートスルー方式のコンタクトガラス上に異物が付着した場合の異常画像と原稿画像とを容易に確実に区別して原稿の読み取り画像を忠実に容易に高品質で読み取り、画像形成動作やその効率も優れて省資源で高速で高品質の画像を形成する原稿画像読取装置、及び、その原稿画像読取装置を具備する画像形成装置を提供する。【解決手段】  原稿束の原稿を一枚毎に分離する原稿分離手段１と、原稿分離手段１で一枚毎に分離された原稿を読み取り部２に搬送する搬送手段３と、搬送手段３で読み取り部２に搬送される原稿の原稿画像を読み取るライン状に配置された原稿画像読取手段４と、原稿画像読取手段４の配置されたライン方向に対して原稿を所定角度（Ｘ）に傾ける原稿傾け手段５とからなる。【選択図】        図１
2006033530.tif 000002
【特許請求の範囲】
【請求項１】
ライン状に配置された原稿画像読取手段に対して相対移動する原稿の原稿画像を読み取る原稿画像読取装置において、原稿束から一枚毎に分離する原稿分離手段と、原稿分離手段で一枚毎に分離された原稿を読み取り部に搬送する搬送手段と、搬送手段で読み取り部に搬送される原稿の原稿画像を読み取るライン状に配置された原稿画像読取手段と、原稿画像読取手段の配置されたライン方向に対して原稿を所定角度に傾ける原稿傾け手段と、を備えたことを特徴とする原稿画像読取装置。
【請求項２】
請求項１に記載の原稿画像読取装置において、原稿傾け手段は、原稿画像読取手段の配置されたライン方向に対して原稿分離手段の原稿セット部を所定角度に傾けて、原稿画像読取手段の配置されたライン方向に対して原稿を所定角度に傾けて読み取り部のコンタクトガラス上に搬送されるように配置したことを特徴とする原稿画像読取装置。
【請求項３】
請求項１又は２に記載の原稿画像読取装置において、原稿傾け手段は、原稿画像読取手段の配置されたライン方向に対して原稿分離手段の原稿セット部の原稿サイドフェンスを所定角度に傾けて、原稿画像読取手段の配置されたライン方向に対して原稿を所定角度に傾けて読み取り部のコンタクトガラス上に搬送されるように配置したことを特徴とする原稿画像読取装置。
【請求項４】
請求項１、２又は３に記載の原稿画像読取装置において、原稿傾け手段は、原稿画像読取手段の配置されたライン方向に対して原稿分離手段の原稿セット部の原稿先端フェンスを所定角度に傾けて、原稿画像読取手段の配置されたライン方向に対して原稿を所定角度に傾けて読み取り部のコンタクトガラス上に搬送されるように配置したことを特徴とする原稿画像読取装置。
【請求項５】
請求項１、２、３又は４に記載の原稿画像読取装置において、原稿傾け搬送手段は、原稿画像読取手段の配置されたライン方向に対して原稿分離手段の分離給紙部を所定角度に傾けて、原稿画像読取手段の配置されたライン方向に対して原稿を所定角度に傾けて読み取り部のコンタクトガラス上に搬送されるように配置したことを特徴とする原稿画像読取装置。
【請求項６】
請求項１、２、３、４又は５に記載の原稿画像読取装置において、原稿傾け手段は、原稿画像読取手段の配置されたライン方向に対して原稿分離手段の分離給紙部の分離ローラのローラ径に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項７】
請求項１、２、３、４、５又は６に記載の原稿画像読取装置において、原稿傾け手段は、原稿画像読取手段の配置されたライン方向に対して分離ローラの前分離ローラと後分離ローラの回転速度を変えて、原稿画像読取手段の配置されたライン方向に対して原稿を所定角度に傾けて読み取り部のコンタクトガラス上に搬送されるようにしたことを特徴とする原稿画像読取装置。
【請求項８】
請求項１、２、３、４、５、６又は７に記載の原稿画像読取装置において、原稿傾け手段は、原稿画像読取手段の配置されたライン方向に対して分離ローラの摩擦係数に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項９】
請求項１、２、３、４、５、６、７又は８に記載の原稿画像読取装置において、原稿傾け手段は、原稿画像読取手段の配置されたライン方向に対して分離ローラの加圧力に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項１０】
請求項１、２、３、４、５、６、７、８又は９に記載の原稿画像読取装置において、原稿傾け手段は、原稿画像読取手段の配置されたライン方向に対して搬送手段のレジスト部を所定角度に傾けて、原稿画像読取手段の配置されたライン方向に対して原稿を所定角度に傾けて読み取り部のコンタクトガラス上に搬送されるように配置したことを特徴とする原稿画像読取装置。
【請求項１１】
請求項１、２、３、４、５、６、７、８、９又は１０に記載の原稿画像読取装置において、原稿傾け手段は、原稿画像読取手段の配置されたライン方向に対してレジストローラのローラ径に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項１２】
請求項１乃至１１の何れか一項に記載の原稿画像読取装置において、原稿傾け手段は、原稿画像読取手段の配置されたライン方向に対してレジストローラの前レジストローラと後レジストローラの回転速度を変えて、原稿画像読取手段の配置されたライン方向に対して原稿を所定角度に傾けて読み取り部のコンタクトガラス上に搬送されるようにしたことを特徴とする原稿画像読取装置。
【請求項１３】
請求項１乃至１２の何れか一項に記載の原稿画像読取装置において、原稿傾け手段は、原稿画像読取手段の配置されたライン方向に対してレジストローラの摩擦係数に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項１４】
請求項１乃至１３の何れか一項に記載の原稿画像読取装置において、原稿傾け手段は、原稿画像読取手段の配置されたライン方向に対してレジストローラの加圧力に前後差を付けて、原稿画像読取手段の配置されたライン方向に対して原稿を所定角度に傾けて読み取り部のコンタクトガラス上に搬送されるようにしたことを特徴とする原稿画像読取装置。
【請求項１５】
請求項１乃至１４の何れか一項に記載の原稿画像読取装置において、原稿画像読取手段は、読み取り画像データ上の筋のノイズ成分を検知するノイズ成分検知手段を備えることを特徴とする原稿画像読取装置。
【請求項１６】
請求項１５に記載の原稿画像読取装置において、ノイズ成分検知手段は、読み取る画像データ上の筋のノイズ成分の検知により、異物検知の警告をする警告手段を備えることを特徴とする原稿画像読取装置。
【請求項１７】
請求項１５又は１６に記載の原稿画像読取装置において、ノイズ成分検知手段は、読み取る画像データ上の筋のノイズ成分の検知により、読み取り部のコンタクトガラス上の異物を除去する異物除去手段を備えることを特徴とする原稿画像読取装置。
【請求項１８】
原稿画像読取装置で読み取った原稿読み取り画像データで画像を形成する画像形成装置において、上記請求項１乃至１７の何れか一項に記載の原稿画像読取装置と、原稿画像読取装置で読み取った読み取り原稿の原稿読み取り画像データで画像を形成する画像形成部とからなることを特徴とする画像形成装置。
【請求項１９】
請求項１８に記載の画像形成装置において、画像形成部は、電子写真方法の作像プロセスでトナー画像を形成することを特徴とする画像形成装置。
【請求項２０】
請求項１８又は１９に記載の画像形成装置において、画像形成部は、ノイズ成分検知手段の読み取る画像データ上の筋のノイズ成分の検知により、原稿画像読取装置で読み取った読み取り原稿の蓄積する原稿読み取り画像データを消去することを特徴とする画像形成装置。
【請求項２１】
請求項１８、１９又は２０に記載の画像形成装置において、画像形成部は、ノイズ成分検知手段の読み取る画像データ上の筋のノイズ成分の検知により、画像が形成された被記録体の排出先を変更して排出することを特徴とする画像形成装置。
【請求項２２】
請求項２１に記載の画像形成装置において、画像形成部は、ノイズ成分検知手段の読み取る画像データ上の筋のノイズ成分の検知により、画像が形成された被記録体の排出先を変更すると共に、画像が形成された被記録体の排出先変更を警告表示することを特徴とする画像形成装置。
【請求項２３】
請求項１８、１９、２０、２１又は２２に記載の画像形成装置において、画像形成部は、ノイズ成分検知手段の読み取る画像データ上の筋のノイズ成分の検知により、画像が形成された被記録体の排出先を変更して排出すると共に、読み取り原稿の再セットを促す警告表示をすることを特徴とする画像形成装置。
【発明の詳細な説明】
【技術分野】
【０００１】
本発明は、原稿画像読取装置、及び、その原稿画像読取装置を具備する画像形成装置に関し、詳しくは、搬送される原稿の原稿画像を読み取る原稿画像読取装置、及び、その原稿画像読取装置を具備して原稿画像読取装置で読み取った原稿読み取り画像データで画像を形成する印刷装置等のインクジェットプリンタや電子写真方法による帯電、書き込み、現像、転写、クリーニング等の作像プロセスを繰り返してトナー画像を形成する複写機、ファクシミリ装置、プリンタ、あるいはこれ等の複合機等の画像形成装置に関する。
【背景技術】
【０００２】
従来から、原稿画像読取装置、及び、その原稿画像読取装置を具備する画像形成装置（複写機、プリンタ、ファクシミリ等）において読み取り原稿を搬送するには、コンタクトガラス上に原稿を搬送して停止させた状態で原稿読取手段を一定速度で駆動して原稿画像面を走査する搬送ベルト方式と、読み取り部の位置に固定された原稿読取手段上を、一定速度で原稿を搬送して原稿の画像面を読取るシートスルー方式が一般的で公知である（特許文献１を参照）。
このようなシートスルー方式の原稿送り装置を備えた原稿画像読取装置においては、原稿読取位置にコンタクトガラスを設置し、そのコンタクトガラス上に原稿を滑らせるように搬送する方式が一般的に採用されている。
然しながら、このような読取方式においては、読取位置におけるコンタクトガラス上にゴミ等の異物が付着した場合、異物付着部分の原稿情報が異物によって読み取れず、異物の画像が、読み取り画像データ上で筋となって現れ、原稿を忠実に再現できないという不具合があった。
そこで、シートスルー方式のコンタクトガラスの長手方向に沿って案内レールを敷設し、この案内レール上に移動可能に清掃手段を設けて、必要に応じてコンタクトガラスを清掃できるようにして、コンタクトガラスの汚れに起因する画質の劣化を防止する画像読取装置も公知である（特許文献２を参照）。
更に、原稿トレイ上に載置された原稿を給送する給送部と、給送された原稿を露光位置である原稿ガラス上に案内するガイド手段と、原稿ガラス上を通過した原稿を排紙する排紙部とを有するＡＤＦを備え、原稿ガラス上を移動する原稿に露光を行い読み取る画像読取装置において、給送された原稿と、原稿ガラスとの隙間に気流をつくる気流形成手段を設けて、原稿搬送中に原稿ガラス上の塵埃等を除去して、読み取り画像に縦筋の発生を防止することも公知である（特許文献３を参照）。
然し、シートスルー方式のコンタクトガラス上の塵埃等の異物を除去する除去手段を備えていても、シートスルー方式のコンタクトガラス上に異物が付着した場合に、異物のデータか原稿データかを容易に判断することが困難で、読み取り画像を忠実に容易に再現することが出来なかった。
従って、従来の原稿画像読取装置、及び、その原稿画像読取装置を具備する画像形成装置においては、シートスルー方式のコンタクトガラス上の塵埃等の異物を除去する除去手段を備えていても、シートスルー方式のコンタクトガラス上に異物が付着した場合に、異物のデータか原稿データかを容易に判断することが困難で、読み取り画像を忠実に容易に再現することが出来ないと言う不具合が生じていた。
【特許文献１】特開平１０−１７１１８１号公報
【特許文献２】特開平１１−７２９７５号公報
【特許文献３】特開２０００−１５１９１３公報
【発明の開示】
【発明が解決しようとする課題】
【０００３】
そこで本発明の課題は、このような問題点を解決するものである。即ち、シートスルー方式のコンタクトガラス上に異物が付着した場合の異常画像と原稿画像とを容易に確実に区別して原稿の読み取り画像を忠実に容易に高品質で読み取り、画像形成動作やその効率も優れて省資源で高速で高品質の画像を形成する原稿画像読取装置、及び、その原稿画像読取装置を具備する画像形成装置を提供することを目的とする。
【課題を解決するための手段】
【０００４】
上記目的を達成するために、請求項１に記載の本発明は、ライン状に配置された原稿画像読取手段に対して相対移動する原稿の原稿画像を読み取る原稿画像読取装置において、原稿束の原稿を一枚毎に分離する原稿分離手段と、原稿分離手段で一枚毎に分離された原稿を読み取り部に搬送する搬送手段と、搬送手段で上記読み取り部に搬送される原稿の原稿画像を読み取るライン状に配置された原稿画像読取手段と、原稿画像読取手段の配置されたライン方向に対して原稿を所定角度に傾ける原稿傾け手段とからなる原稿画像読取装置であることを最も主要な特徴とする。
又は、請求項２に記載の本発明は、請求項１に記載の原稿画像読取装置において、原稿傾け手段は、原稿画像読取手段の配置されたライン方向に対して原稿分離手段の原稿セット部を所定角度に傾けて、原稿画像読取手段の配置されたライン方向に対して原稿を所定角度に傾けて読み取り部のコンタクトガラス上に搬送されるように配置した原稿画像読取装置であることを主要な特徴とする。
又は、請求項３に記載の本発明は、請求項１又は２に記載の原稿画像読取装置において、原稿傾け手段は、原稿画像読取手段の配置されたライン方向に対して原稿分離手段の原稿セット部の原稿サイドフェンスを所定角度に傾けて、原稿画像読取手段の配置されたライン方向に対して原稿を所定角度に傾けて読み取り部のコンタクトガラス上に搬送されるように配置した原稿画像読取装置であることを主要な特徴とする。
又は、請求項４に記載の本発明は、請求項１、２又は３に記載の原稿画像読取装置において、原稿傾け手段は、原稿画像読取手段の配置されたライン方向に対して原稿分離手段の原稿セット部の原稿先端フェンスを所定角度に傾けて、原稿画像読取手段の配置されたライン方向に対して原稿を所定角度に傾けて読み取り部のコンタクトガラス上に搬送されるように配置した原稿画像読取装置であることを主要な特徴とする。
【０００５】
又は、請求項５に記載の本発明は、請求項１、２、３又は４に記載の原稿画像読取装置において、原稿傾け搬送手段は、原稿画像読取手段の配置されたライン方向に対して原稿分離手段の分離給紙部を所定角度に傾けて、原稿画像読取手段の配置されたライン方向に対して原稿を所定角度に傾けて読み取り部のコンタクトガラス上に搬送されるように配置した原稿画像読取装置であることを主要な特徴とする。
又は、請求項６に記載の本発明は、請求項１、２、３、４又は５に記載の原稿画像読取装置において、原稿傾け手段は、原稿画像読取手段の配置されたライン方向に対して原稿分離手段の分離給紙部の分離ローラのローラ径に前後差を付けて、原稿画像読取手段の配置されたライン方向に対して原稿を所定角度に傾けて読み取り部のコンタクトガラス上に搬送されるようにした原稿画像読取装置であることを主要な特徴とする。
又は、請求項７に記載の本発明は、請求項１、２、３、４、５又は６に記載の原稿画像読取装置において、原稿傾け手段は、原稿画像読取手段の配置されたライン方向に対して原稿分離手段の分離給紙部の分離ローラの前分離ローラと後分離ローラの回転速度を変えて、原稿画像読取手段の配置されたライン方向に対して原稿を所定角度に傾けて読み取り部のコンタクトガラス上に搬送されるようにした原稿画像読取装置であることを主要な特徴とする。
又は、請求項８に記載の本発明は、請求項１、２、３、４、５、６又は７に記載の原稿画像読取装置において、原稿傾け手段は、原稿画像読取手段の配置されたライン方向に対して原稿分離手段の分離給紙部の分離ローラの摩擦係数に前後差を付けて、原稿画像読取手段の配置されたライン方向に対して原稿を所定角度に傾けて読み取り部のコンタクトガラス上に搬送されるようにした原稿画像読取装置であることを主要な特徴とする。
【０００６】
又は、請求項９に記載の本発明は、請求項１、２、３、４、５、６、７又は８に記載の原稿画像読取装置において、原稿傾け手段は、原稿画像読取手段の配置されたライン方向に対して原稿分離手段の分離給紙部の分離ローラの加圧力に前後差を付けて、原稿画像読取手段の配置されたライン方向に対して原稿を所定角度に傾けて読み取り部のコンタクトガラス上に搬送されるようにした原稿画像読取装置であることを主要な特徴とする。
又は、請求項１０に記載の本発明は、請求項１、２、３、４、５、６、７、８又は９に記載の原稿画像読取装置において、原稿傾け手段は、原稿画像読取手段の配置されたライン方向に対して搬送手段のレジスト部を所定角度に傾けて、原稿画像読取手段の配置されたライン方向に対して原稿を所定角度に傾けて読み取り部のコンタクトガラス上に搬送されるように配置した原稿画像読取装置であることを主要な特徴とする。
又は、請求項１１に記載の本発明は、請求項１、２、３、４、５、６、７、８、９又は１０に記載の原稿画像読取装置において、原稿傾け手段は、原稿画像読取手段の配置されたライン方向に対して搬送手段のレジスト部のレジストローラのローラ径に前後差を付けて、原稿画像読取手段の配置されたライン方向に対して原稿を所定角度に傾けて読み取り部のコンタクトガラス上に搬送されるようにした原稿画像読取装置であることを主要な特徴とする。
又は、請求項１２に記載の本発明は、請求項１乃至１１の何れか一項に記載の原稿画像読取装置において、原稿傾け手段は、原稿画像読取手段の配置されたライン方向に対して搬送手段のレジスト部のレジストローラの前レジストローラと後レジストローラの回転速度を変えて、原稿画像読取手段の配置されたライン方向に対して原稿を所定角度に傾けて読み取り部のコンタクトガラス上に搬送されるようにした原稿画像読取装置であることを主要な特徴とする。
【０００７】
又は、請求項１３に記載の本発明は、請求項１乃至１２の何れか一項に記載の原稿画像読取装置において、原稿傾け手段は、原稿画像読取手段の配置されたライン方向に対して搬送手段のレジスト部のレジストローラの摩擦係数に前後差を付けて、原稿画像読取手段の配置されたライン方向に対して原稿を所定角度に傾けて読み取り部のコンタクトガラス上に搬送されるようにした原稿画像読取装置であることを主要な特徴とする。
又は、請求項１４に記載の本発明は、請求項１乃至１３の何れか一項に記載の原稿画像読取装置において、原稿傾け手段は、原稿画像読取手段の配置されたライン方向に対して搬送手段のレジスト部のレジストローラの加圧力に前後差を付けて、原稿画像読取手段の配置されたライン方向に対して原稿を所定角度に傾けて読み取り部のコンタクトガラス上に搬送されるようにした原稿画像読取装置であることを主要な特徴とする。
又は、請求項１５に記載の本発明は、請求項１乃至１４の何れか一項に記載の原稿画像読取装置において、原稿画像読取手段は、読み取り画像データ上の筋のノイズ成分を検知するノイズ成分検知手段からなる原稿画像読取装置であることを主要な特徴とする。
又は、請求項１６に記載の本発明は、請求項１５に記載の原稿画像読取装置において、ノイズ成分検知手段は、読み取る画像データ上の筋のノイズ成分の検知により、異物検知の警告をする警告手段からなる原稿画像読取装置であることを主要な特徴とする。
又は、請求項１７に記載の本発明は、請求項１５又は１６に記載の原稿画像読取装置において、ノイズ成分検知手段は、読み取る画像データ上の筋のノイズ成分の検知により、読み取り部のコンタクトガラス上の異物を除去する異物除去手段からなる原稿画像読取装置であることを主要な特徴とする。
【０００８】
又は、請求項１８に記載の本発明は、原稿画像読取装置で読み取った原稿読み取り画像データで画像を形成する画像形成装置において、上記請求項１乃至１７の何れか一項に記載の原稿画像読取装置と、原稿画像読取装置で読み取った読み取り原稿の原稿読み取り画像データで画像を形成する画像形成部とからなる画像形成装置であることを最も主要な特徴とする。
又は、請求項１９に記載の本発明は、請求項１８に記載の画像形成装置において、画像形成部は、電子写真方法の作像プロセスでトナー画像を形成する画像形成装置であることを主要な特徴とする。
又は、請求項２０に記載の本発明は、請求項１８又は１９に記載の画像形成装置において、画像形成部は、ノイズ成分検知手段の読み取る画像データ上の筋のノイズ成分の検知により、原稿画像読取装置で読み取った読み取り原稿の蓄積する原稿読み取り画像データを消去する画像形成装置であることを主要な特徴とする。
又は、請求項２１に記載の本発明は、請求項１８、１９又は２０に記載の画像形成装置において、画像形成部は、ノイズ成分検知手段の読み取る画像データ上の筋のノイズ成分の検知により、画像が形成された被記録体の排出先を変更して排出する画像形成装置であることを主要な特徴とする。
又は、請求項２２に記載の本発明は、請求項２１に記載の画像形成装置において、画像形成部は、ノイズ成分検知手段の読み取る画像データ上の筋のノイズ成分の検知により、画像が形成された被記録体の排出先を変更すると共に、画像が形成された被記録体の排出先変更を警告表示する画像形成装置であることを主要な特徴とする。
又は、請求項２３に記載の本発明は、請求項１８、１９、２０、２１又は２２に記載の画像形成装置において、画像形成部は、ノイズ成分検知手段の読み取る画像データ上の筋のノイズ成分の検知により、画像が形成された被記録体の排出先を変更して排出すると共に、読み取り原稿の再セットを促す警告表示をする画像形成装置であることを主要な特徴とする。
【発明の効果】
【０００９】
本発明は、以下に説明するように構成されているので、請求項１の発明によれば、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項２の発明によれば、原稿画像読取手段の配置されたライン方向に対して原稿分離手段の原稿セット部を所定角度に傾けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項３の発明によれば、原稿画像読取手段の配置されたライン方向に対して原稿分離手段の原稿セット部の原稿サイドフェンスを所定角度に傾けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項４の発明によれば、原稿画像読取手段の配置されたライン方向に対して原稿分離手段の原稿セット部の原稿先端フェンスを所定角度に傾けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
【００１０】
請求項５の発明によれば、原稿画像読取手段の配置されたライン方向に対して原稿分離手段の分離給紙部を所定角度に傾けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項６の発明によれば、原稿画像読取手段の配置されたライン方向に対して原稿分離手段の分離給紙部の分離ローラのローラ径に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項７の発明によれば、原稿画像読取手段の配置されたライン方向に対して原稿分離手段の分離給紙部の分離ローラの前分離ローラと後分離ローラの回転速度を変えて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項８の発明によれば、原稿画像読取手段の配置されたライン方向に対して原稿分離手段の分離給紙部の分離ローラの摩擦係数に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
【００１１】
請求項９の発明によれば、原稿画像読取手段の配置されたライン方向に対して原稿分離手段の分離給紙部の分離ローラの加圧力に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項１０の発明によれば、原稿画像読取手段の配置されたライン方向に対して搬送手段のレジスト部を所定角度に傾けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項１１の発明によれば、原稿画像読取手段の配置されたライン方向に対して搬送手段のレジスト部のレジストローラのローラ径に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項１２の発明によれば、原稿画像読取手段の配置されたライン方向に対して搬送手段のレジスト部のレジストローラの前レジストローラと後レジストローラの回転速度を変えて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項１３の発明によれば、原稿画像読取手段の配置されたライン方向に対して搬送手段のレジスト部のレジストローラの摩擦係数に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
【００１２】
請求項１４の発明によれば、原稿画像読取手段の配置されたライン方向に対して搬送手段のレジスト部のレジストローラの加圧力に前後差を付けて、シートスルー方式のコンタクトガラス上に異物が付着した場合の異常画像と原稿画像とを容易に区別して原稿の読み取り画像を忠実に容易に高品質で読み取ることが出来る原稿画像読取装置を提供することが出来るようになった。
請求項１５の発明によれば、シートスルー方式のコンタクトガラス上に異物が付着した場合の異常画像と原稿画像とを容易に確実に区別して原稿の読み取り画像を忠実に容易に高品質で読み取ることが出来る原稿画像読取装置を提供することが出来るようになった。
請求項１６の発明によれば、シートスルー方式のコンタクトガラス上に異物が付着した場合の異常画像と原稿画像とを容易に区別すると共に異物検知の警告をして原稿の読み取り画像を忠実に容易に高品質で読み取ることが出来る原稿画像読取装置を提供することが出来るようになった。
請求項１７の発明によれば、シートスルー方式のコンタクトガラス上に異物が付着した場合の異常画像と原稿画像とを容易に区別すると共に読み取り部のコンタクトガラス上の異物を除去して異物検知の警告をして原稿の読み取り画像を忠実に容易に高品質で読み取ることが出来る原稿画像読取装置を提供することが出来るようになった。
請求項１８の発明によれば、シートスルー方式のコンタクトガラス上に異物が付着した場合の異常画像と原稿画像とを容易に確実に区別して原稿の読み取り画像を忠実に容易に高品質で読み取り画像を形成する原稿画像読取装置を具備する画像形成装置を提供することが出来るようになった。
請求項１９の発明によれば、シートスルー方式のコンタクトガラス上に異物が付着した場合の異常画像と原稿画像とを容易に確実に区別して原稿の読み取り画像を忠実に容易に高品質で読み取り高速で高品質の画像を形成する原稿画像読取装置を具備する画像形成装置を提供することが出来るようになった。
【００１３】
請求項２０の発明によれば、シートスルー方式のコンタクトガラス上に異物が付着した場合の異常画像と原稿画像とを容易に確実に区別して原稿の読み取り画像を忠実に容易に高品質で読み取り、ノイズ成分検知手段の読み取る画像データ上の筋のノイズ成分の検知により原稿画像読取装置で読み取った読み取り原稿の蓄積する原稿読み取り画像データを消去して、高速で、更に、高品質の画像を形成する原稿画像読取装置を具備する画像形成装置を提供することが出来るようになった。
請求項２１の発明によれば、シートスルー方式のコンタクトガラス上に異物が付着した場合の異常画像と原稿画像とを容易に確実に区別して原稿の読み取り画像を忠実に容易に高品質で読み取り、ノイズ成分検知手段の読み取る画像データ上の筋のノイズ成分の検知により画像が形成された被記録体の排出先を変更して画像形成動作やその効率も優れて省資源で画像を形成する原稿画像読取装置を具備する画像形成装置を提供することが出来るようになった。
請求項２２の発明によれば、シートスルー方式のコンタクトガラス上に異物が付着した場合の異常画像と原稿画像とを容易に確実に区別して原稿の読み取り画像を忠実に容易に高品質で読み取り、ノイズ成分検知手段の読み取る画像データ上の筋のノイズ成分の検知により画像が形成された被記録体の排出先を変更すると共に、画像が形成された被記録体の排出先変更を警告表示して画像形成動作やその効率も優れて省資源で画像を形成する原稿画像読取装置を具備する画像形成装置を提供することが出来るようになった。
請求項２３の発明によれば、シートスルー方式のコンタクトガラス上に異物が付着した場合の異常画像と原稿画像とを容易に確実に区別して原稿の読み取り画像を忠実に容易に高品質で読み取り、ノイズ成分検知手段の読み取る画像データ上の筋のノイズ成分の検知により画像が形成された被記録体の排出先を変更して排出すると共に、読み取り原稿の再セットを促す警告表示をして、画像形成動作やその効率も優れて省資源で高品質の画像を形成する画像を形成する原稿画像読取装置を具備する画像形成装置を提供することが出来るようになった。
【発明を実施するための最良の形態】
【００１４】
次に、本発明の実施の形態は、図面を参照して詳細に説明する。
図１乃至図４において、ライン状に配置された原稿画像読取手段に対して相対移動する原稿の原稿画像を読み取る原稿画像読取装置０は、原稿束の原稿（Ｏ）を一枚毎に分離する原稿分離手段１と、原稿分離手段１の原稿セット部１ａに載置された原稿束の原稿（Ｏ）を分離給紙部１ｂの分離ローラ１ｂ１で一枚毎に分離された原稿（Ｏ）を読み取り部２のコンタクトガラス２ａ上に搬送する搬送手段３と、搬送手段３で読み取り部２のコンタクトガラス２ａ上に搬送される原稿（Ｏ）の原稿画像を読み取るライン状に配置された原稿画像読取手段４の読み取り画像データ上の縦筋のノイズ成分を検知するノイズ成分検知手段４ａと、原稿画像読取手段４の矢印（Ａ）方向のライン方向に対して原稿セット部１ａを所定角度に傾けて配置して原稿（Ｏ）を所定角度（Ｘ）に傾ける原稿傾け手段５とからなり、シートスルー方式のコンタクトガラス２ａ上に異物（Ｙ）が付着した場合の異常画像と原稿画像とを容易に確実に区別して原稿（Ｏ）の読み取り画像を忠実に容易に高品質で読み取ることが出来る。
原稿画像読取装置０は、所定の読み取り位置に搬送された原稿（Ｏ）を、更に、所定の速度で搬送しながら、固定された原稿画像読取手段４によって原稿画像の読み取りを行うシートスルー方式の原稿画像を読み取る装置であり、あるいは、画像形成装置５０の読み取った原稿読み取り画像データで画像を形成する印刷装置等のインクジェットプリンタや電子写真方法による帯電、書き込み、現像、転写、クリーニング等の作像プロセスを繰り返してトナー画像を形成する複写機、ファクシミリ装置、プリンタ、あるいはこれ等の複合機等に具備されている。
【００１５】
原稿画像読取装置０は、原稿（Ｏ）の原稿束をセットする原稿分離手段１の原稿セット部１ａの原稿載せ台、原稿セット部１ａの原稿載せ台にセットされた原稿束から１枚毎に原稿を分離して給送する分離給紙部１ｂ、給送された原稿を一次突き当てして整合すると共に、整合後の原稿を引き出して搬送するレジストローラ３ａ１、搬送される原稿を反転させて原稿面を読み取り側（下方）に向けて搬送する反転部３ｂの読み取りローラ３ｂ１、原稿表面の第１面、あるいは、第２面の画像をコンタクトガラス２ａの下方より読み取らせる第１読取搬送部３ｃ、原稿表面読み取り後の原稿裏面、第２面、あるいは、第１面の画像を読み取らせる第２読取搬送部３ｄ、表裏の読み取りが完了した原稿を機外、又は、スイッチバック部３ｅに搬送する排紙部３ｆ、再読み取りのためのスイッチバックを行うスイッチバック部３ｅ、読み取り完了後の原稿を搬送して積載保持する原稿スタック部３ｇ、これらの搬送動作を駆動する駆動部３ｈ、及び、一連の動作を制御する制御部３ｉ等から構成されている。
原稿画像読取手段４は、イメージセンサのＣＣＤで読み取り部２のコンタクトガラス２ａ上に搬送される原稿の原稿画像の画像データを読み取り、２値化、多値化、階調処理、変倍処理、編集加工処理等が施されると共に、ノイズ成分検知手段４ａで読み取り画像データ上の縦筋のノイズ成分を検知して、除去することが出来るようにもなっている。
更に、ノイズ成分検知手段４ａは、読み取る画像データ上の筋のノイズ成分の検知により、警告手段４ｂに異物（Ｙ）の警告を自動的に容易に表示するようになっている。
更に、ノイズ成分検知手段４ａは、読み取る画像データ上の筋のノイズ成分の検知により、読み取り部２のコンタクトガラス２ａ上の異物（Ｙ）を、異物除去手段４ｃから搬送される原稿と読み取り部２のコンタクトガラス２ａ上の隙間に気流を形成して、読み取り部２のコンタクトガラス２ａ上の異物（Ｙ）を自動的に容易に除去することが出来るようにもなっている。
【００１６】
図３、図４に図示するように、原稿傾け手段５により原稿画像読取手段４の配置された図示の矢印（Ａ）方向のライン方向に対して原稿分離手段１の原稿セット部１ａを所定角度に傾けて配置して所定角度（Ｘ）に傾けた原稿を所定量分斜めに搬送させ第１読取搬送部３ｃを通過させることで、原稿の画像情報は斜め分傾きをもった画像情報とし読み取り部２のコンタクトガラス２ａ上にて読み取りが行われる。
読み取り部２のコンタクトガラス２ａ上に、異物（Ｙ）が付着しているなどの場合、読み取り部２のコンタクトガラス２ａ上にて、図示の矢印（Ａ）方向のライン方向に配置された原稿画像読取手段４で読み取られた画像は、縦に筋が入ったノイジーな画像となる。
そこで、原稿画像読取手段４のノイズ成分検知手段４ａが、この読み取り画像データの縦筋のノイズ成分を、ノイズ成分検知手段４ａで読み取り画像データ上の縦筋のノイズ成分を間違えにくく、且つ、確実に除去することが出来るように、原稿を所定角度（Ｘ）に傾け読み取り部２のコンタクトガラス２ａへ原稿搬送が行われる。
仮に、原稿を傾ける所定角度（Ｘ）と同じ傾きをもった原稿情報があったとしても、原稿がコンタクトガラス２ａに搬送された際、原稿先端部も所定量の傾きをもつ事となるので、読み取る情報としては、傾きにより原稿先端の最初に搬送される角から原稿先端の最後の角にかけて徐々に読み取り画像データとして読み取られ、区別選別され、ノイズ成分の選別が可能となる。
従って、ノイズ成分検知手段４ａによって、このノイズは、読み取り開始より筋が始まるので、原稿上の情報に、原稿傾け所定角度（Ｘ）と同等の傾きをもった直線の画像情報があったとしても選別除去が可能となるのである。
【００１７】
図３に図示するように、原稿画像読取装置０は、原稿束を一枚毎に分離する原稿分離手段１と、原稿セット部１ａに載置された原稿束の原稿を分離給紙部１ｂの分離ローラ１ｂ１で一枚毎に分離された原稿を読み取り部２のコンタクトガラス２ａ上に搬送する搬送手段３と、搬送手段３で読み取り部２のコンタクトガラス２ａ上に搬送される原稿の原稿画像を読み取るライン状に配置された原稿画像読取手段４の読み取り画像データ上の縦筋のノイズ成分を検知するノイズ成分検知手段４ａと、原稿画像読取手段４の配置された図示の矢印（Ａ）方向のライン方向に対して原稿セット部１ａの原稿サイドフェンス１ａ１を所定角度に傾けて配置して原稿を所定角度（Ｘ）に傾けて読み取り部２のコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
図３に図示するように、原稿画像読取装置０は、原稿束を一枚毎に分離する原稿分離手段１と、原稿分離手段１の原稿セット部１ａに載置された原稿束の原稿を分離ローラ１ｂ１で一枚毎に分離された原稿をコンタクトガラス２ａ上に搬送する搬送手段３と、搬送手段３でコンタクトガラス２ａ上に搬送される原稿の原稿画像を読み取るライン状に配置され読み取り画像データ上の縦筋のノイズ成分を検知するノイズ成分検知手段４ａと、矢印（Ａ）方向のライン方向に対して原稿先端フェンス１ａ２を所定角度に傾けて配置して原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
【００１８】
図５と図６において、原稿画像読取装置０は、原稿束の原稿を一枚毎に分離する原稿分離手段１と、原稿セット部１ａに載置された原稿束を分離給紙部１ｂの分離ローラ１ｂ１で一枚毎に分離された原稿をコンタクトガラス２ａ上に搬送する搬送手段３と、搬送手段３でコンタクトガラス２ａ上に搬送される原稿の原稿画像を読み取るライン状に配置され読み取り画像データ上の縦筋のノイズ成分を検知するノイズ成分検知手段４ａと、原稿画像読取手段４の配置された図示の矢印（Ａ）方向のライン方向に対して原稿分離手段１の分離給紙部１ｂの分離ローラ１ｂ１を所定角度に傾けて配置して原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
原稿画像読取装置０は、原稿束を一枚毎に分離する原稿分離手段１と、原稿セット部１ａに載置された原稿束を分離ローラ１ｂ１で一枚毎に分離された原稿をコンタクトガラス２ａ上に搬送する搬送手段３と、搬送手段３でコンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対してレジスト部３ａのレジストローラ３ａ１を所定角度に傾けて配置して原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
【００１９】
原稿画像読取装置０においては、原稿セット部１ａにセットされた原稿束から１枚毎に原稿を分離して給送する分離給紙部１ｂ、及び、給送された原稿を一次突き当てして整合すると共に、整合後の原稿を引き出して搬送するレジスト部３ａは、搬送される原稿を反転させて原稿面を読み取り側（下方）に向けて搬送する読み取りローラ３ｂ１、原稿の表面、第１面、あるいは、第２面の画像をコンタクトガラス２ａの下方より読み取らせる第１読取搬送部３ｃ、表面読み取り後の原稿の裏面、第２面、あるいは、第１面の画像を読み取らせる第２読取搬送部３ｄ、表裏の読み取りが完了した原稿を機外、又は、上記スイッチバック部３ｅに搬送する排紙部３ｆ、再読み取りのためのスイッチバックを行うスイッチバック部３ｅにおける原稿搬送系の原稿搬送下流部が平行でなく、斜めとなる構成をしている。
この、原稿セット部１ａにセットされた原稿束から１枚毎に原稿を分離して給送する分離給紙部１ｂ、及び、給送された原稿を一次突き当てして整合すると共に、整合後の原稿を引き出して搬送するレジスト部３ａが、原稿搬送系の原稿搬送下流部と平行でなく斜めとしていることで、原稿は前記構成の斜め分の所定角度（Ｘ）を保ち原稿搬送下流部へ送られ、固定されたコンタクトガラス２ａにて、原稿の画像読み取りを行う。
原稿セット部１ａにセットされた原稿束から１枚ごとに原稿を分離して給送する分離給紙部１ｂが原稿搬送系の原稿搬送下流部と平行でなく斜めとし、整合後の原稿を引き出して搬送するレジスト部３ａへ原稿を搬送しても所定の斜め分の角度の傾斜を保ち、整合後の原稿を引き出して搬送するレジスト部３ａから原稿搬送系の原稿搬送下流部へ原稿を搬送する。
又は、原稿セット部１ａにセットされた原稿束から１枚ごとに原稿を分離して給送する分離給紙部１ｂが原稿搬送系の原稿搬送下流部と平行で、整合後の原稿を引き出して搬送するレジスト部３ａが原稿搬送系の原稿搬送下流部と平行でなく斜めとしても所定の斜め分の角度の傾斜を保ち、整合後の原稿を引き出して搬送するレジスト部３ａから原稿搬送系の原稿搬送下流部へ原稿を搬送することが出来る。
【００２０】
図７と図８において、原稿画像読取装置０においては、原稿分離手段１の分離給紙部１ｂの速度を所定時間で前後で変えて原稿分離搬送することで、原稿搬送系の原稿搬送下流部に対し斜めとなる所定の角度を保ち原稿を傾け搬送させることが出来る。
分離給紙部１ｂの速度を所定時間で前後変え原稿分離搬送する事として、分離搬送系の搬送ころ、ローラなどの径に前後差（Ｄ１＜Ｄ２）を付けること（テーパー状にすること）や、前後独立した駆動をかけ前後スピード差（Ｖ１＜Ｖ２）をつけてもよい。
図７に図示するように、原稿画像読取装置０は、原稿束の原稿を一枚毎に分離する原稿分離手段１と、原稿セット部１ａに載置された原稿束の原稿を分離給紙部１ｂの分離ローラ１ｂ１で一枚毎に分離された原稿を図示しないコンタクトガラス２ａ上に搬送する図示しない搬送手段３と、図示しない搬送手段３で図示しないコンタクトガラス２ａ上に搬送される原稿の原稿画像を読み取るライン状に配置され読み取り画像データ上の縦筋のノイズ成分を検知するノイズ成分検知手段４ａと、原稿画像読取手段４の配置された図示の矢印（Ａ）方向のライン方向に対して分離ローラ１ｂ１のローラ径に前後差（Ｄ１＜Ｄ２）を付けて、原稿を所定角度（Ｘ）に傾けて図示しないコンタクトガラス２ａ上に搬送されるようにした原稿傾け手段５とからなり、シートスルー方式の図示しないコンタクトガラス２ａ上に異物（Ｙ）が付着した場合の異常画像と原稿画像とを容易に確実に区別して、原稿の読み取り画像を忠実に容易に高品質で読み取ることが出来る。
図８に図示するように、原稿画像読取装置０は、原稿束を一枚毎に分離する原稿分離手段１と、分離ローラ１ｂ１で一枚毎に分離された原稿を図示しないコンタクトガラス２ａ上に搬送する図示しない搬送手段３と、図示しない搬送手段３で図示しないコンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対して分離ローラ１ｂ１の前分離ローラ１ｂ１１の回転速度（Ｖ１）と後分離ローラ１ｂ１２の回転速度（Ｖ２）を異ならせて（Ｖ１＜Ｖ２）、原稿を所定角度（Ｘ）に傾けて図示しないコンタクトガラス２ａ上に搬送されるようにした原稿傾け手段５とからなり、シートスルー方式の図示しないコンタクトガラス２ａ上に異物（Ｙ）が付着した場合の異常画像と原稿画像とを容易に確実に区別して、原稿の読み取り画像を忠実に容易に高品質で読み取ることも出来る。
【００２１】
図９と図１０において、原稿画像読取装置０においては、原稿分離手段１の分離給紙部１ｂの分離ローラ１ｂ１の前半分と後半分の摩擦係数（μ１、μ２）を異ならせて一枚の原稿を分離して搬送することで、原稿搬送系の原稿搬送下流部に対し斜めとなる所定の角度を保ち原稿を傾け搬送させる。
このとき、原稿搬送系の原稿搬送下流部の方が搬送力を強くすることで一定の傾きを持たせ原稿を搬送する。
原稿分離手段１の分離給紙部１ｂの分離ローラ１ｂ１の摩擦係数（μ）を前後各領域で異ならせて原稿を分離搬送する事として、原稿搬送系の原稿搬送下流部の搬送ころ、ローラなどの摩擦係数（μ１＜μ２）の異なる材質にし、更に前後領域で原稿に対する原稿搬送系の原稿搬送下流部の加圧力を変える（Ｆ１＜Ｆ２）ことで、原稿を傾けて搬送することが出来る。
図９に図示するように、原稿画像読取装置０は、原稿束を一枚毎に分離する原稿分離手段１と、分離ローラ１ｂ１で一枚毎に分離された原稿を図示しないコンタクトガラス２ａ上に搬送する図示しない搬送手段３と、コンタクトガラス２ａ上に搬送される原稿の原稿画像を読み取るライン状に配置された読み取り画像データ上の縦筋のノイズ成分を検知するノイズ成分検知手段４ａと、矢印（Ａ）方向のライン方向に対して原稿分離手段１の分離給紙部１ｂの分離ローラ１ｂ１の摩擦係数（μ１＜μ２）に前後差を付けて、原稿を所定角度（Ｘ）に傾けて図示しないコンタクトガラス２ａ上に搬送されるようにした原稿傾け手段５とからなり、シートスルー方式の図示しないコンタクトガラス２ａ上に異物（Ｙ）が付着した場合の異常画像と原稿画像とを容易に確実に区別して、原稿の読み取り画像を忠実に容易に高品質で読み取ることが出来る。
図１０に図示するように、原稿画像読取装置０は、原稿束を一枚毎に分離する原稿分離手段１と、原稿セット部１ａに載置され分離ローラ１ｂ１で一枚毎に分離された原稿を図示しないコンタクトガラス２ａ上に搬送する図示しない搬送手段３と、コンタクトガラス２ａ上に搬送される原稿の原稿画像を読み取るライン状に配置された原稿画像読取手段４の読み取り画像データ上の縦筋のノイズ成分を検知するノイズ成分検知手段４ａと、矢印（Ａ）方向のライン方向に対して原稿分離手段１の分離給紙部１ｂの分離ローラ１ｂ１の加圧力（Ｆ１＜Ｆ２）に前後差（前部分と後部分との間に加圧力差）を付けて、原稿を所定角度（Ｘ）に傾けて図示しないコンタクトガラス２ａ上に搬送されるようにした原稿傾け手段５とからなり、シートスルー方式の図示しないコンタクトガラス２ａ上に異物（Ｙ）が付着した場合の異常画像と原稿画像とを容易に確実に区別して、原稿の読み取り画像を忠実に容易に高品質で読み取ることが出来る。
【００２２】
図１１と図１２において、原稿画像読取装置０においては、レジスト部３ａの搬送速度を所定時間で前後位置で異ならせて原稿をレジスト搬送することで、原稿搬送系の原稿搬送下流部に対し斜めとなる所定の角度を保ち原稿を傾け搬送させることが出来る。
レジスト部３ａによる搬送速度を所定時間で前後位置で異ならせて原稿をレジスト搬送する方法として、レジスト搬送系の搬送ころ、ローラなどの径に前後差（Ｄ１＜Ｄ２）を付けることや、前後ローラ部分を独立した部材として、夫々に独立した駆動をかけて前後スピード差（Ｖ１＜Ｖ２）をつけてもよい。
図１１に図示するように、原稿画像読取装置０は、原稿束を一枚毎に分離する原稿分離手段１と、原稿セット部１ａに載置され分離ローラ１ｂ１で一枚毎に分離された原稿をコンタクトガラス２ａ上に搬送する搬送手段３と、コンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対してレジスト部３ａのレジストローラ３ａ１のローラ径に前後差（Ｄ１＜Ｄ２）を付けて、原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
図１２に図示するように、原稿画像読取装置０は、原稿束を一枚毎に分離する原稿分離手段１と、原稿セット部１ａに載置され分離ローラ１ｂ１で一枚毎に分離された原稿をコンタクトガラス２ａ上に搬送する搬送手段３と、コンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対して前レジストローラ３ａ１１の回転速度（ｖ１）と後レジストローラ３ａ１２の回転速度（ｖ２）の回転速度を異ならせて（ｖ１＜ｖ２）、原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
【００２３】
図１３と図１４において、原稿画像読取装置０においては、レジスト部３ａのレジストローラ３ａ１の摩擦係数（μ１、μ２）を、レジストローラの前後部分で異ならせて原稿を分離搬送することで、原稿搬送系の原稿搬送下流部に対し斜めとなる所定の角度を保ち原稿を傾け搬送させる。
このとき、原稿搬送系の原稿搬送下流部の方の搬送力を強くすることで一定の傾きを持たせ原稿を搬送する。
レジストローラ３ａ１の摩擦係数（μ）を前後位置で異ならせ原稿をレジスト搬送する方法として、原稿搬送系の原稿搬送下流部の搬送ころ、ローラなどの摩擦係数（μ１＜μ２）の異なる材質にすること、前後で原稿に対する原稿搬送系の原稿搬送下流部の加圧力を変える（Ｆ１＜Ｆ２）ことで、原稿を傾けて搬送することが出来る。
図１３に図示するように、原稿画像読取装置０は、原稿束を一枚毎に分離する原稿分離手段１と、原稿セット部１ａに載置され分離ローラ１ｂ１で一枚毎に分離された原稿をコンタクトガラス２ａ上に搬送する搬送手段３と、コンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対してレジスト部３ａのレジストローラ３ａ１の摩擦係数に前後部分で差を設けて（μ１＜μ２）、原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
図１４に図示するように、原稿画像読取装置０は、原稿束を一枚毎に分離する原稿分離手段１と、原稿セット部１ａに載置され分離ローラ１ｂ１で一枚毎に分離された原稿を図示しないコンタクトガラス２ａ上に搬送する図示しない搬送手段３と、コンタクトガラス２ａ上に搬送される原稿の原稿画像を読み取るライン状に配置された読み取り画像データ上の縦筋のノイズ成分を検知するノイズ成分検知手段４ａと、原稿画像読取手段４の配置された図示の矢印（Ａ）方向のライン方向に対してレジスト部３ａのレジストローラ３ａ１の加圧力（Ｆ１＜Ｆ２）に前後部分で差を付けて、原稿を所定角度（Ｘ）に傾けてコンタクトガラス２ａ上に搬送されるようにした原稿傾け手段５とからなり、シートスルー方式のコンタクトガラス２ａ上に異物（Ｙ）が付着した場合の異常画像と原稿画像とを容易に確実に区別して、原稿の読み取り画像を忠実に容易に高品質で読み取ることが出来る。
【００２４】
図１５と図１６において、原稿画像読取装置で読み取った原稿読み取り画像データで画像を形成する画像形成装置５０は、上記請求項１乃至１７の何れか一項に記載の原稿画像読取装置０と、原稿画像読取装置０で読み取った読み取り原稿の原稿読み取り画像データで画像を形成する画像形成部５１とからなり、シートスルー方式のコンタクトガラス２ａ上に異物（Ｙ）が付着した場合の異常画像と原稿画像とを容易に確実に区別して原稿の読み取り画像を忠実に容易に高品質で読み取る画像を形成するようになっている。
電子写真方法の作像プロセスにより高速で高品質のトナー画像が形成される上記画像形成部５１の内部には、像担持体５１ａのドラム形状の感光体ドラムが回動可能に支持されて配置されている。
感光体ドラム５１ａは、図示の矢印（Ｂ）方向の時計方向に回転駆動され、この時、帯電装置５１ｂによって、感光体ドラム５１ａの表面が所定の電位に帯電される。
又、書き込みユニット５１ｃからは、原稿画像読取装置０の原稿画像読取手段４により原稿から読み取られた画像情報の読み取り画像データに応じて光変調されたレーザー光（Ｌ）が出射し、そのレーザー光（Ｌ）が帯電された感光体ドラム５１ａの表面を露光し、これによって、感光体ドラム５１ａの表面に静電潜像が形成される。
感光体ドラム５１ａ表面に形成された静電潜像は現像装置５１ｄによって顕像化されてトナー画像が形成され、対向する転写装置５１ｅによって、感光体ドラム５１ａと上記転写装置５１ｅの間に給送された被記録体（Ｐ）の記録用紙に転写されて記録される。
トナー画像が被記録体（Ｐ）の記録用紙に転写後の感光体ドラム５１ａ表面は、クリーニング装置５１ｆによって清掃されて、次工程の画像形成に備えられる。
画像形成部５１の下部に給紙装置５２が配置され、被記録体（Ｐ）の記録用紙を収容した複数のいずれかの給紙カセット５２ａ、給紙カセット５２ｂ、給紙カセット５２ｃから図示の矢印（Ｃ）方向に送り出されて、その被記録体（Ｐ）の記録用紙の表面に、上述のように感光体ドラム５１ａ表面に形成されたトナー画像が転写される。
【００２５】
次に、被記録体（Ｐ）の記録用紙は図示の矢印（Ｄ）方向に上記画像形成部５１内の定着装置５１ｇを通過し、この時の熱と圧力の作用によって、被記録体（Ｐ）の記録用紙の表面に転写されたトナー画像がその表面に定着される。
上記定着装置５１ｇを通過した被記録体（Ｐ）の記録用紙は、排紙ローラ対５１ｈによって排紙トレイ（Ａ）５１ｉ、又は、排紙トレイ（Ｂ）５１ｊに排出されて収納される。
画像形成装置５０の制御部５０ａによって、原稿画像読取装置０の原稿画像読取手段４のノイズ成分検知手段４ａが読み取り画像データ上の縦筋のノイズ成分を検知により、原稿画像読取装置０で読み取って原稿画像読取手段４から転送された原稿読み取り画像データが上記書き込みユニット５１ｃのメモリに蓄積中の場合、上記書き込みユニット５１ｃのメモリの蓄積をキャンセルして消去すると共に、当該原稿読み取り画像データが転写された被記録体（Ｐ）の記録用紙が搬送されている場合には当該ＪＯＢの排出先の上記排紙トレイ（Ａ）５１ｉとは異なる上記排紙トレイ（Ｂ）５１ｊに排出先切り替え部材５１ｋで切り替えられて排出され、操作部５０ｂに対して、異常画像が発生した被記録体（Ｐ）の記録用紙を当該ＪＯＢの排出先の上記排紙トレイ（Ａ）５１ｉとは異なる上記像排紙トレイ（Ｂ）５１ｊに排出した旨と、最終の読み取り原稿を原稿画像読取装置０の原稿セット部１ａに戻して再セットを促す警告表示をするようになっている。
【００２６】
原稿画像読取装置０の原稿画像読取手段４のノイズ成分検知手段４ａが読み取り画像データ上の縦筋のノイズ成分を検知した信号を受信すると、上記制御部５０ａは、スタートで、読み取った原稿画像を無効化する縦筋のノイズ成分を検知した信号を受信したかを判断して（ステップ１）、無効化信号を受信していなければエンドで終了するが、無効化信号を受信したら、上記書き込みユニット５１ｃのメモリに読み取り画像データを備蓄中であるか判断して（ステップ２）、読み取った原稿画像メモリを備蓄中でなければエンドで終了するが、読み取った原稿画像メモリを備蓄中であれば、上記書き込みユニット５１ｃのメモリに蓄積する読み取り画像データをキャンセルして消去して（ステップ３）、被記録体（Ｐ）の記録用紙が給紙済みであるかを判断して（ステップ４）、被記録体（Ｐ）の記録用紙が給紙済みでなければエンドで終了するが、被記録体（Ｐ）の記録用紙が給紙済みであれば、当該ＪＯＢの排出先の指示が上記排紙トレイ（Ａ）５１ｉであるかを判断して（ステップ５）、当該ＪＯＢの排出先の指示が上記排紙トレイ（Ａ）５１ｉであれば、排出先の指示を上記排紙トレイ（Ｂ）５１ｊに切り替えて（ステップ６）、上記操作部５０ｂの表示部に排出先の切り替え表示「エラー発生紙を上記排紙トレイ（Ｂ）５１ｊに排出しました」と表示して（ステップ７）から（ステップ１０）へ、（ステップ５）で当該ＪＯＢの排出先の指示が上記排紙トレイ（Ａ）５１ｉでなければ、排出先の指示を上記排紙トレイ（Ａ）５１ｉに切り替えて（ステップ８）、上記操作部５０ｂの表示部に排出先の切り替え表示「エラー発生紙を上記排紙トレイ（Ａ）５１ｉに排出しました」と表示して（ステップ９）、当該ＪＯＢを中断して（ステップ１０）、上記操作部５０の表示部に原稿再セット表示「原稿を１枚戻してプリントキーを押して下さい」と表示して（ステップ１１）、エンドで終了する。
従って、シートスルー方式のコンタクトガラス２ａ上に異物（Ｙ）が付着した場合の異常画像と原稿画像とを容易に確実に区別して原稿の読み取り画像を忠実に容易に高品質で読み取り、読み取り中の原稿の異常画像の発生を見過ごすことなく大量のミスコピーの発生を防止して、読み取り中の原稿の異物（Ｙ）による異常画像が形成された被記録体（Ｐ）の記録用紙のみを除外して排出先変更を警告表示して、一連の画像形成のＪＯＢの途中で読み取り中の原稿の異物（Ｙ）よる異常画像が発生しても、それまでに形成した画像の被記録体（Ｐ）の記録用紙を無駄にすることなく簡単な操作で一連の画像形成のＪＯＢを再開することが出来て、画像形成動作やその効率も優れて省資源で高速で、更に、高品質の画像を形成する原稿画像読取装置０を具備する上記画像形成装置５０を提供することが出来るようになった。
【図面の簡単な説明】
【００２７】
【図１】本発明の実施の形態例を示す原稿画像読取装置を説明する正面図。
【図２】本発明の実施の形態例を示す原稿画像読取装置を説明する平面図。
【図３】本発明の実施の形態例を示す原稿画像読取装置の主要部を説明する説明図。
【図４】本発明の実施の形態例を示す原稿画像読取装置の他の主要部の状態を説明する説明図。
【図５】本発明の他の実施の形態例を示す原稿画像読取装置の主要部の状態を説明する説明図。
【図６】本発明の他の実施の形態例を示す原稿画像読取装置の主要部の状態を説明する説明図。
【図７】本発明の他の実施の形態例を示す原稿画像読取装置の主要部の状態を説明する斜視図。
【図８】本発明の他の実施の形態例を示す原稿画像読取装置の主要部の状態を説明する斜視図。
【図９】本発明の他の実施の形態例を示す原稿画像読取装置の主要部の状態を説明する斜視図。
【図１０】本発明の他の実施の形態例を示す原稿画像読取装置の主要部の状態を説明する斜視図。
【図１１】本発明の他の実施の形態例を示す原稿画像読取装置の主要部の状態を説明する斜視図。
【図１２】本発明の他の実施の形態例を示す原稿画像読取装置の主要部の状態を説明する斜視図。
【図１３】本発明の他の実施の形態例を示す原稿画像読取装置の主要部の状態を説明する斜視図。
【図１４】本発明の他の実施の形態例を示す原稿画像読取装置の主要部の状態を説明する斜視図。
【図１５】本発明の実施の形態例を示す原稿画像読取装置を具備する画像形成装置を説明する説明図。
【図１６】本発明の実施の形態例を示す原稿画像読取装置を具備する画像形成装置の主要部の動作を説明するフローチャート。
【符号の説明】
【００２８】
０  原稿画像読取装置
１  原稿分離手段、
１ａ  原稿セット部、
１ａ１  原稿サイドフェンス、
１ａ２  原稿先端フェンス、
１ｂ  分離給紙部、
１ｂ１  分離ローラ、
１ｂ１１  前分離ローラ、
１ｂ１２  後分離ローラ
２  読み取り部、
２ａ  コンタクトガラス
３  搬送手段、
３ａ  レジスト部、
３ａ１  レジストローラ、
３ａ１１  前レジストローラ、
３ａ１２  後レジストローラ、
３ｂ  反転部、
３ｂ１  読み取りローラ、
３ｃ  第１読取搬送部、
３ｄ  第２読取搬送部、
３ｅ  スイッチバック部、
３ｆ  排紙部、
３ｇ  原稿スタック部、
３ｈ  駆動部、
３ｉ  制御部
４  原稿画像読取手段、
４ａ  ノイズ成分検知手段、
４ｂ  警告手段、
４ｃ  異物除去手段段
５  原稿傾け手段          
５０  画像形成装置、
５０ａ  制御部、
５０ｂ  操作部
５１  画像形成部、
５１ａ  像担持体、
５１ｂ  帯電装置、
５１ｃ  書き込みユニット、
５１ｄ  現像装置、
５１ｅ  転写装置、
５１ｆ  クリーニング装置、
５１ｇ  定着装置、
５１ｈ  排紙ローラ対、
５１ｉ  排紙トレイ（Ａ）、
５１ｉ  排紙トレイ（Ｂ）、
５１ｋ  排出先切り替え部材
５２  給紙装置、
５２ａ  給紙カセット、
５２ｂ  給紙カセット、
５２ｃ  給紙カセット
【図１】
2006033530.tif 000003
【図２】
2006033530.tif 000004
【図３】
2006033530.tif 000005
【図４】
2006033530.tif 000006
【図５】
2006033530.tif 000007
【図６】
2006033530.tif 000008
【図７】
2006033530.tif 000009
【図８】
2006033530.tif 000010
【図９】
2006033530.tif 000011
【図１０】
2006033530.tif 000012
【図１１】
2006033530.tif 000013
【図１２】
2006033530.tif 000014
【図１３】
2006033530.tif 000015
【図１４】
2006033530.tif 000016
【図１５】
2006033530.tif 000017
【図１６】
2006033530.tif 000018